(57)【要約】【課題】レンズ保持具の素材の使用量を抑制しつつ、レンズの光学面に応じた形状を簡素且つ迅速に形成可能なレンズ保持具及びレンズの製造方法を提供する。【解決手段】レンズを保持するのに供する保持部材を備えたレンズ保持具であって、前記保持部材は、所定の条件だと、自力にて所定の形状を維持しつつも塑性を有し、前記レンズの光学面の形状に合わせて変形自在である一方、別の所定の条件だと前記塑性が失われる。【選択図】図１
2013180372.tif 000002
【特許請求の範囲】
【請求項１】
レンズを保持するのに供する保持部材を備えたレンズ保持具であって、
前記保持部材は、所定の条件だと、自力にて所定の形状を維持しつつも塑性を有し、前記レンズの光学面の形状に合わせて変形自在である一方、別の所定の条件だと前記塑性が失われることを特徴とするレンズ保持具。
【請求項２】
前記保持部材と前記レンズとを接合する接合部材を更に有することを特徴とする請求項１に記載のレンズ保持具。
【請求項３】
前記所定の形状は、前記レンズの光学面の少なくとも一部に倣った形状であることを特徴とする請求項２に記載のレンズ保持具。
【請求項４】
前記保持部材は形状記憶性を有する樹脂組成物であることを特徴とする請求項３に記載のレンズ保持具。
【請求項５】
レンズを保持するのに供する保持部材を備えたレンズ保持具を用いたレンズの製造方法であって、
レンズの形状に合わせて保持部材を変形させる保持部材変形工程と、
前記保持部材変形工程後、前記レンズを前記レンズ保持具により保持する保持工程と、
を有し、
前記保持部材は、前記保持部材変形工程においては、自力にて所定の形状を維持しつつも塑性を有し、レンズの光学面の形状に合わせて変形自在である一方、前記保持工程においては、前記塑性が失われることを特徴とすることを特徴とするレンズの製造方法。
【発明の詳細な説明】
【技術分野】
【０００１】
本発明は、レンズ保持具及びレンズの製造方法に関する。
【背景技術】
【０００２】
近年、光学レンズ（以降、単に「レンズ」とも言う。）として、ガラスレンズの代わりに樹脂素材を用いたプラスチックレンズが多用されている。その理由としては、プラスチックレンズがガラスレンズに比べて軽量であり、割れにくく且つ加工成形がし易いことなどの利点があることに起因している。このプラスチックレンズは光学分野で幅広く採用されているが、上記の利点があることから、眼鏡用レンズとして特に使用されている。
【０００３】
従来、眼鏡用のプラスチックレンズを構成する樹脂素材に対する加工においては、切削・研削方法として球面加工、トーリック面加工、および自由曲面加工を行うためのカーブジェネレーティング加工（以下、ＣＧ加工と言う。）が行われている。この加工が行われる工程は、粗削り工程とも呼ばれる。
【０００４】
このＣＧ加工は、被加工物である樹脂素材に対して所望の形状が創成できるような位置にダイヤモンド工具を相対配置し、工具および樹脂素材の両者を相対運動させながら球面、トーリック、および自由曲面形状を創成する方法である。
【０００５】
このＣＧ加工された樹脂素材に対し、ポリウレタン研磨パッドや不織布研磨パッド、そして遊離砥粒を用いて機械研磨を行い、プラスチックレンズに対して研磨加工（例えば粗研磨や仕上げ研磨）を施し、光学面を整える。そして最終的に、プラスチックレンズに対して所望の光学面を形成し、完成品のレンズを形成する。
【０００６】
レンズの切削工程や研磨工程において、レンズはレンズ保持具に保持されて加工装置に取り付けられる。レンズ保持具は、従来だと、ヤトイと低融点合金（以下、アロイともいう）とで構成されている。この構成に関する技術が本出願人により開示されている（特許文献１参照）。
【０００７】
図８に、特許文献１に開示されているレンズ保持具を示す。このレンズ保持具は、ヤトイ２とアロイ８とからなり、例えば、一般に市販されているＬＯＨ社製のレイアウトブロッカーと呼ばれるレンズ用ブロック装置によってレンズ５の取り付けを行っている。レンズ５をレンズ保持具に取り付けるには、予めレンズ５の被加工面とは反対側の面（加工済み面で、例えば凸面）に傷防止用の保護フィルム９を貼着しておく。次に、レイアウトブロッカーの取付部１０にヤトイ２とブロッキングリング７を固定し、ブロッキングリング７の上に、保護フィルム９が貼着された凸面を下にしてレンズ５を載置する。これにより、ブロッキングリング７は上面側内周縁によってレンズ５の凸面の外周部を支持する。そして、レンズ５、ヤトイ２、ブロッキングリング７および取付部１０によって囲まれた空間内に溶融したアロイ８を流し込んで固化させることにより、レンズ５をヤトイ２に固定する。ブロッキングリング７をアロイ８から分離した後、レンズ５はヤトイ２とともに加工装置に装着され、被加工面の切削または研磨加工が行われる。
【０００８】
なお、特許文献１と同様に、ブロッキングリングに加え、ヤトイとアロイを用いた技術が、本出願人により開示されている（特許文献２及び３参照）。特許文献２には、ヤトイを複数の基部にて構成することにより、種々の加工装置に取り付け可能とした技術が公開されている。また、特許文献３には、種々の加工装置にヤトイが取り付け可能になるようなアダプタに関する技術が公開されている。
【０００９】
一方、ヤトイとアロイを用いた技術以外にも、アロイの代わりに溶融した熱可塑性樹脂を用いる技術が公開されている（特許文献４参照）。具体的に言うと、以下の通りである。まず、プラスチックレンズと枠型との空隙に対し、溶融した熱可塑性樹脂を注入する。または、溶融した熱可塑性樹脂に対し、レンズを接触させる。そして、この熱可塑性樹脂を固化することにより、熱可塑性樹脂からなるブロック材を形成する。そして、プラスチックレンズとブロック材とを一体としたまま、切削工程を行う。
【先行技術文献】
【特許文献】
【００１０】
【特許文献１】特許第４０８４０８１号公報
【特許文献２】特開２０１０−２８４７２９号公報
【特許文献３】特開２０１０−２８４７６１号公報
【特許文献４】特開平１１−１９８０１４号公報
【発明の概要】
【発明が解決しようとする課題】
【００１１】
上述の通り、近年、レンズとしてはプラスチックレンズが多用されるようになっている。特に、眼鏡用レンズであって遠近両用の多焦点レンズでは、その傾向が顕著である。多焦点レンズは一枚のレンズに異なる度数を持たせたレンズであり、例えばレンズの上側が遠くを見るための遠用部、下側が近くを見るための近用部となっている。また、最近では、レンズの度数が遠用部から近用部にかけて連続的に変化する累進多焦点レンズが使用されている。
【００１２】
このような多焦点レンズに対しては、使う人の個々の処方に合わせて度数、乱視の角度などの必要な条件に従ってレンズ面を切削、研磨することが行われる。ここでいう個々の処方に含まれるものとしては、プリズム量についても例外ではない。つまり、特許文献２及び３で言うところのブロッキングリング７（本明細書で言うところの「プリズムリング」）において、使う人の個々の処方に応じ、水平方向からの傾斜が形成されたものを、多数用意しておく必要がある。しかも、多焦点レンズの形状は、個々の処方に応じて決定されるため、１つ１つが極めて複雑な形状を有している。そのため、プリズムリングを多数用意しておくにしても、多焦点レンズの形状を反映させつつ所定のプリズムを有するようなプリズムリングの形状を、その都度、計算で決定するのは極めて手間がかかる。
【００１３】
なお、特許文献４に記載の技術では、溶融した熱可塑性樹脂にプラスチックレンズを接触させることによりブロック材（本明細書で言うところの「保持部材」）を形成している。この手法ならば、確かに、溶融した熱可塑性樹脂があふれ出ない程度の容積を有する枠型（特許文献４の符号２０）を準備すれば、処方に応じたプリズムリング（特許文献４の符号１２０）を多数用意する必要がなくなる。なぜなら、溶融した熱可塑性樹脂にプラスチックレンズを接触させることにより、プラスチックレンズの表面形状（プリズム量）を反映させたブロック材を形成することができるためである。
【００１４】
しかしながら、特許文献４においては、溶融した熱可塑性樹脂をプラスチックレンズに何らかの形で接触させることになる。そして、溶融した熱可塑性樹脂を固化することにより、プラスチックレンズと熱可塑性樹脂とを接合し、プラスチックレンズをブロック材に固定することになる（以降、レンズ保持具にレンズを固定することを「ブロッキング」とも言う。）。その際の課題としてはまず、溶融した熱可塑性樹脂が固化する際に、プラスチックレンズと当該熱可塑性樹脂との熱膨張率の違いにより、固化した熱可塑性樹脂とプラスチックレンズとの間に隙間が生じ、ブロッキングが上手くいかなくなるおそれがある。また、熱可塑性樹脂は溶融しているほどの高温状態であるため、溶融した熱可塑性樹脂にプラスチックレンズが接触する際に、プラスチックレンズそのものが変性してしまうおそれも否定できない。更に、特許文献４においてはプラスチックレンズをブロック材から脱離させる際に（以降、レンズ保持具からレンズを脱離することを「デブロッキング」とも言う。）、加熱や溶剤による溶解を行うことについて段落００３３にて挙げているが、この加熱や溶解の際においても、プラスチックレンズそのものが変性してしまうおそれがある。
【００１５】
そもそも、特許文献１〜４においては、アロイにせよ熱可塑性樹脂にせよ、一度溶融状態にしてからレンズの表面形状を反映させたアロイ又はブロック材を形成する必要がある。そのため、アロイ又はブロック材の溶融素材を注入する工程が必要となる。保持具の形成において工程が増加することは、ひいてはレンズ製造工程全体から見た場合には時間が余分にかかることを意味する。しかも注入工程の際に欠陥が発生した場合、設計とは異なる保持具を形成することになる。そうなると、レンズの加工においても設計とは異なる加工を行ってしまう可能性がある。その結果、注入工程を採用して最終的にレンズ保持具を形成することは、最終的に、歩留りの低下を招来しかねない。
【００１６】
更に、特許文献４においては、段落００３３に記載のように、熱可塑性樹脂を加熱や溶解することから、ブロック材は使い捨てと考えられる。つまり、処方に応じたプリズムリングを多数用意する代わりに、各人の処方に応じてレンズを製造する場合、その都度、熱可塑性樹脂の使い捨てを行わなければならない。特に、一つのプリズムリングを用いる場合であって、大きなプリズム量（傾き）を有するレンズの場合、相当量の熱可塑性樹脂が必要となる。そうなるとレンズ以外にも、熱可塑性樹脂のための原料を別途、用意しなければならない。しかも、装用者によってレンズの形状が異なるため、膨大な形状種類が存在するレンズを製造するたびに、その用意を行わなければならない。
これは、特許文献１〜３におけるブロッキングリング（プリズムリング）についても例外ではない。結局、レンズを使う人の個々の処方に合わせてプリズムリングを作製しなければならないため、レンズ保持具を使用した後は、レンズ保持具は不要となる場合がほとんどである。そのため、レンズ保持具は、レンズ製造の都度、作製しなければならないにもかかわらず、使用後には廃棄せざるを得ないというのが現状である。
上記のような状況が続くと、当然、廃棄物の増加につながる。その結果、費用が嵩むことは当然として、リサイクルが推奨される昨今の状況にもかかわらず、環境に対する配慮が乏しくなってしまう。
仮にプリズムリングがアロイで形成されているとしても、別のレンズに対する保持具を作製する際には、再度アロイを溶融させた上で、別のレンズに対応するプリズムリングを設計ないし作製しなければならない。結果として、多数のプリズムリングを作製する必要性が生じてしまう。
【００１７】
本発明の目的は、レンズ保持具の素材の使用量を抑制しつつ、レンズの光学面に応じた形状を簡素且つ迅速に形成可能なレンズ保持具及びレンズの製造方法を提供することにある。
【課題を解決するための手段】
【００１８】
本発明者らは、上記課題を解決する手法について検討した。その際、本発明者らは、上記課題のうち、レンズ保持具を形成する際に、レンズ保持具の素材を一度溶融状態（自力で形状維持不可能な状態）にする必要がある点に着目した。そして本発明者らは、そもそも溶融状態が本当に必要なのかという点について検討した。それに加え、上記の課題（特に多数のプリズムリング作製の必要性）を一挙に解決する手法について検討を重ねた。
【００１９】
その結果、従来にあるアロイや熱可塑性樹脂そしてプリズムリングの役割を一手に担うべく、従来のレンズ保持具の性質とは正反対に、レンズ保持具の一部材として、ブロッキング前の段階から、自力にて所定の形状を維持するものを用いる、という知見を得た。つまり、この部材に対し、ブロッキング時には塑性を備えさせ、レンズの光学面形状に合わせてこの部材を所定の形状から変形させることにより、レンズの光学面の形状の転写が比較的容易に行えるようにし、その一方、レンズ加工時等、レンズの保持が必要な時には当該塑性が失われることによってレンズが保持された状態となるようにする、という知見を得た。
【００２０】
以上の知見に基づいて成された本発明の態様は、以下の通りである。
本発明の第１の態様は、
レンズを保持するのに供する保持部材を備えたレンズ保持具であって、
前記保持部材は、所定の条件だと、自力にて所定の形状を維持しつつも塑性を有し、前記レンズの光学面の形状に合わせて変形自在である一方、別の所定の条件だと前記塑性が失われることを特徴とするレンズ保持具である。
本発明の第２の態様は、第１の態様に記載の態様であって、
前記保持部材と前記レンズとを接合する接合部材を更に有することを特徴とする。
本発明の第３の態様は、第２の態様に記載の態様であって、
前記所定の形状は、前記レンズの光学面の少なくとも一部に倣った形状であることを特徴とする。
本発明の第４の態様は、第３の態様に記載の態様であって、
前記保持部材は形状記憶性を有する樹脂組成物であることを特徴とする。
本発明の第５の態様は、
レンズを保持するのに供する保持部材を備えたレンズ保持具を用いたレンズの製造方法であって、
レンズの形状に合わせて保持部材を変形させる保持部材変形工程と、
前記保持部材変形工程後、前記レンズを前記レンズ保持具により保持する保持工程と、
を有し、
前記保持部材は、前記保持部材変形工程においては、自力にて所定の形状を維持しつつも塑性を有し、レンズの光学面の形状に合わせて変形自在である一方、前記保持工程においては、前記塑性が失われることを特徴とするレンズの製造方法である。
【発明の効果】
【００２１】
本発明によれば、レンズ保持具の素材の使用量を抑制しつつ、レンズの光学面に応じた形状を簡素且つ迅速に形成可能なレンズ保持具及びレンズの製造方法を提供することができる。
【図面の簡単な説明】
【００２２】
【図１】本実施形態におけるレンズ保持具にレンズを固定する様子を示す断面図である。
【図２】本実施形態におけるレンズ保持具の断面概略図であり、（ａ）はプリズムを有さないレンズに対して保持を行っているレンズ付きレンズ保持具の断面概略図であり、（ｂ）は所定のプリズム量（水平からの傾斜角θに相当するプリズム量）を有するレンズに対して保持を行っているレンズ付きレンズ保持具の断面概略図である。
【図３】本実施形態における保持部材に対して形状記憶させておいた所定の形状を、レンズに良く用いられるプリズム量を数種類に分類して予め記憶させておいた所定の形状を有する保持部材の断面概略図であり、（ａ）小プリズム量、（ｂ）中プリズム量、（ｃ）大プリズム量を反映させた保持部材を示す。
【図４】本実施形態におけるレンズの保持方法を工程順に示す断面概略図である。
【図５】本実施形態におけるレンズの脱離方法を工程順に示す断面概略図である。
【図６】別の実施形態におけるレンズの保持方法を工程順に示す断面概略図である。
【図７】別の実施形態におけるレンズ保持具の変形例を示す断面概略図であり、（ａ）は、の凸の部分の形状に保持部材を合わせたレンズ保持具を示し、（ｂ）は、ヤトイと保持部材とが一体成型されたレンズ保持具を示し、レンズ（ｃ）は、レンズの外縁部を覆うようにレンズに装着されたレンズ保持具を示す。
【図８】従来のレンズ保持具にレンズを固定する様子を示す断面図である。
【発明を実施するための形態】
【００２３】
［実施の形態１］
以下、本発明の実施の形態について説明する。順序としては、以下の順序で説明を行う。
１．レンズ保持具
Ａ）レンズ保持具の全体構成
Ｂ）保持部材
Ｃ）接合部材
Ｄ）その他
２．レンズの保持方法（ブロッキングのメカニズム）
Ａ）接合部材の素材（ＵＶ硬化樹脂）の塗布工程
Ｂ）塑性発現工程（加温工程）
Ｃ）保持部材変形工程
Ｄ）接合工程（ＵＶ照射工程）
Ｅ）保持工程
Ｆ）デブロッキング（脱離工程）
Ｇ）保持部材の形状復元工程
３．レンズの製造方法
Ａ）レンズの選定
Ｂ）ブロッキング
Ｃ）ＣＧ加工
Ｄ）研磨
Ｅ）デブロッキング
Ｆ）その他（カラー染色・検査・超音波洗浄・ハードコート加工・マルチコート加工等）
４．実施の形態による効果
なお、本実施形態においては、光学レンズのうち、眼鏡用のプラスチックレンズを一例として挙げて、説明を行う。以降、この眼鏡用のプラスチックレンズについても、説明の便宜上、単に「レンズ」とも言う。
また、［実施の形態２］においては、先に保持部材をレンズの光学面に合わせて変形させておき、その後、接合部材の素材を塗布する場合について述べる。
そして、［実施の形態３］においては、保持部材の具体的な化合物の組成について述べる。
最後に、［実施の形態４］においては、その他の変形例について述べる。
【００２４】
＜１．レンズ保持具＞
Ａ）レンズ保持具の全体構成
図１に、本実施形態におけるレンズ保持具１にレンズ５を固定する様子を示す断面概略図を示す。なお、図１にて図示しない部材も存在するが、それらについては、上述の図８と同様、適宜レンズ保持具１に設置しても構わない。図示しない部材については、図８に記載の符号を引用して説明する。
【００２５】
まず、本実施形態のレンズ保持具１は、レンズ５を保持するのに供する保持部材３と、この保持部材３とレンズ５との間に設けられる接合部材４とを有している。
本実施形態におけるレンズ保持具１は、保持部材３と接合部材４とヤトイ２とを含み、例えば、一般に市販されているＬＯＨ社製のレイアウトブロッカーと呼ばれるレンズ用ブロック装置によってレンズ５の取り付けを行っている。レンズ５をレンズ保持具１に取り付けるには、予めレンズ５の被加工面とは反対側の面（加工済み面で、例えば凸面）に傷防止用の保護フィルム９を貼着しておく。次に、レイアウトブロッカーの取付部にヤトイ２と保持部材３とを止めねじ６にて固定する。保持部材３の上には接合部材４を設置し、後述の接合方法にて、保護フィルム（図示せず）が貼着されたレンズ５の凸面と保持部材３とを接合しておく。このレンズ５付きレンズ保持具１において、レンズ保持具１は上面側内周縁によってレンズ５の凸面の外周部を支持している。そして、レンズ保持具１はレンズ５とともに加工装置に装着され、被加工面の切削または研磨加工が行われる。
【００２６】
レンズ保持具１の各部材の詳細については後述するが、概要を言うと、保持部材３上に接合部材の素材４ａが塗布され、この接合部材の素材４ａの上から、レンズ５を押し当てる。その押し当てにより保持部材３を変形させつつ、接合部材の素材４ａを硬化させ、接合部材４が形成される。こうして、保持部材３と接合部材４とを有し、レンズ５を保持するレンズ保持具１が形成されている。
なお、本実施形態におけるレンズ保持具１は、ヤトイ２に対して着脱可能な構成を有している。このヤトイ２としては公知のものを用いても構わない。更に、本実施形態の保持部材３はブロッキングの際に塑性を有するようなものを使用する。そのため、ヤトイ２の形状に合わせる際にも塑性を発揮させるようにすれば、むしろ、どのような形状を有する公知のヤトイ２であっても、形状へと本実施形態のレンズ保持具１は着脱可能に形成できる。これは、公知の一般に市販されているレンズ用ブロック装置（例えばＳＡＴＩＳＬＯＨ社製）やレンズ加工装置がどのような種類であっても、レンズ保持具１が着脱可能であることも意味している。
【００２７】
Ｂ）保持部材
本実施形態のレンズ保持具１においては、保持部材３に一つの大きな特徴がある。本実施形態の保持部材３は、所定の条件だと、自力にて所定の形状を維持しつつも塑性を有し、上記レンズ５の光学面の形状に合わせて変形自在となるものを使用する。つまり、上記レンズ保持具１の形状を上記レンズ５の光学面の形状に合わせて変形させる際においては、上記保持部材３は、自力にて所定の形状を維持しつつも塑性を有する。
【００２８】
この保持部材３として好適なのは、形状記憶性を有する物質である。この物質としては金属（合金）や樹脂等、形状性記憶性を有する公知の物質が挙げられるが、その中でも、形状記憶性を有する樹脂組成物が好ましい。コスト面もさることながら、眼鏡用のプラスチックレンズを加工する場合、切削刃や研磨器具の干渉を気にすることなく、レンズ保持具１ごとプラスチックレンズを加工可能となるためである。
また、透光性については、後述の＜２．レンズの保持方法（ブロッキングのメカニズム）＞で説明するが、本実施形態における保持部材３は、ＵＶ（以降、「紫外光」を指す。）透過機能を有しているのが好ましい。レンズ５が眼鏡用のプラスチックレンズである場合、レンズ５にＵＶ遮蔽機能が付与されている場合が多い。そういう場合に、レンズ保持具１とレンズ５との間に設けた接合部材の素材４ａ（ＵＶ硬化樹脂）を硬化させようとすると、眼鏡用のプラスチックレンズ側からＵＶ照射しても、ＵＶ硬化樹脂までＵＶが届かず、レンズ保持具１とレンズ５とを接合できない。そのため、眼鏡用のプラスチックレンズ側からではなく、保持部材３側からＵＶ照射する必要がある。そのときのために、本実施形態における保持部材３は、ＵＶ透過機能を有しているのが好ましい。
【００２９】
なお、特許文献４においては熱可塑性樹脂からなるブロック材とプラスチックレンズとの間の熱膨張率の違いによる、固化した熱可塑性樹脂とプラスチックレンズとの間の隙間の発生のおそれがあったが、本実施形態の保持部材３ならば、保持部材３の素材を溶融されるまでもなく、塑性が発現する程度の温度に加温すれば良い。そのため、上記隙間の発生をそもそも防ぐことができ、ブロッキングを良好に行うことが可能となる。また、保持部材３の素材が溶融するほどの高温状態とする必要もなくなるため、プラスチックレンズそのものが変性してしまうことを防ぐことも可能となる。
【００３０】
そもそも、特許文献４が従来技術と位置付けたプリズムリングについては、特許文献４の段落０００５に示すように、プリズムリングは円形の底板とその周囲を囲む周壁から構成される箱状のもの、又は、周壁のみから形成されるリング状のものであり、断面視した際に、周壁上端は、初めから、使用する人の処方に合わせたプリズム量（水平からの傾斜角θ）が反映された状態となっている。また、特許文献４に記載の技術においては、初めから、レンズ５の径に応じた枠型を用意している（段落００３５）。その上で、熱可塑性樹脂をレンズ５と枠型の間に注入し、レンズ５の光学面に応じたブロック材を形成している。
【００３１】
それに対し、本実施形態の保持部材３には、上記の性質を有したものを使用している。そうして、従来にあるアロイや熱可塑性樹脂そしてプリズムリングの役割を一手に担わせている。
【００３２】
つまり、プリズムリングという観点から見れば、従来だとレンズ５の光学面の形状に応じて、レンズ５の光学面の形状データを基に、プリズムリング７の形状を先に決定しておく必要があった。しかしながら、本実施形態の保持部材３ならば、所定の条件下で保持部材３を、自力にて所定の形状を維持しつつも塑性を有する状態にした上で、レンズ５を（接合部材の素材４ａを挟んで）保持部材３に押し当てるという簡素な作業を最低限行えば良い。こうすることにより、多焦点レンズの形状を反映させつつ所定のプリズムを有するようなプリズムリング７の形状を、その都度、計算で決定する必要がなくなる。つまり、従来におけるプリズムリング７を不要とすることが可能となる。
しかも上述の通り、多焦点レンズの形状は、個々の処方に応じて決定されるため、１つ１つが極めて複雑な形状を有しているにもかかわらず、上記のような簡素な作業により、所定のプリズム量を反映させつつも光学面の形状を正確に反映した保持部材３が得られる。つまり、図２（ａ）に示すように、プリズムを有さないレンズ５に対して保持を行っているレンズ５付きレンズ保持具１はもちろんのこと、図２（ｂ）に示すように、所定のプリズム量（水平からの傾斜角θに相当するプリズム量）を有するレンズ５に対して保持を行う際にも、プリズム量を反映させつつ光学面の形状を正確に反映した保持部材３が得られる。
【００３３】
また、アロイや熱可塑性樹脂という観点から見れば、従来だとレンズ５の光学面に応じたアロイやブロック材を形成するために、アロイや熱可塑性樹脂を一度溶融する必要があった。しかしながら、本実施形態の保持部材３ならば、所定の条件下ならば、塑性を有しつつも、自力にて所定の形状を維持している。そのため、アロイ又はブロック材の溶融素材を注入する工程が不要となる。そうなると、注入工程の際に欠陥はそもそも発生することはなくなり、設計通りの保持具を形成することができる。ひいては、レンズ５の加工においても設計通りの加工を行うことが可能となる。
【００３４】
更に、本実施形態の保持部材３の特徴は、上記塑性の発現にとどまらない。本実施形態の保持部材３において、所定の条件だと上記塑性を発現しつつも、別の所定の条件だと、上記塑性が失われるような物質を保持部材３として使用する。つまり、上記レンズ５を上記レンズ保持具１により保持する間においては、上記保持部材３は上記塑性を失い、上記レンズ５の光学面に合わせた形状を維持する。こうすることにより、レンズ５を（接合部材の素材４ａを挟んで）保持部材３に押し当てた状態の形状（即ち、レンズ５の光学面に合わせた形状）のまま、保持部材３の形状が固定されることになる。そして、接合部材の素材４ａを硬化させることにより、レンズ保持具１に対しレンズ５が保持された状態とする。
【００３５】
上記の構成を有することにより、従来にあるアロイや熱可塑性樹脂そしてプリズムリング７の役割を、本実施形態の保持部材３が一手に担うことが可能となる。そして、ブロッキング時には塑性を備えさせ、レンズ５の光学面形状に合わせてこの部材を所定の形状から変形させることにより、レンズ５の光学面の形状の転写が比較的容易に行うことが可能となる。そして、レンズ加工時等、レンズ５の保持が必要な時には当該塑性を失わせることにより、レンズ５を保持可能な状態とすることが可能となる。しかも、プリズムリング７を用いる必要なく、この保持を行うことが可能となる。
【００３６】
なお、本実施形態の保持部材３が塑性を発現する「所定の条件」としては、公知の形状記憶性を有する物質が塑性を発現する条件であれば良い。本実施形態のように形状記憶性を有する樹脂組成物を保持部材３に用いるならば、所定の条件の一つとして、温度に関する条件であることが挙げられる。もちろんそれ以外であっても良く、光や振動等、何らかのエネルギーを与えるようなものでも良い。また、塑性を失うことになる「別の所定の条件」及び上記の「所定の条件」が、所定の範囲を有する条件である場合、それらの範囲は一部重複していても良い。例えば、塑性の発現及び塑性の喪失各々が可能な条件が温度範囲で規定可能である場合、その温度範囲において一部重複していても構わない。
【００３７】
また、本実施形態の保持部材３において、塑性を有する状態において自力にて維持する「所定の形状」は、基本的には任意の形状で構わない。なお、塑性を失ってレンズ５を保持する際の保持部材３の形状は、保持部材３単体又は接合部材４等の力を借りてレンズ５を保持可能な形状であれば良い。所定の形状なりレンズ５を保持する際の形状なり、例を挙げると、略円盤状、略リング状、板状、ブロック状、等々がある。
【００３８】
また、形状記憶性を有する樹脂組成物ならば、初期形状は記憶させた形状であっても良い。ただ、上記所定の形状は、上記レンズ５の光学面の少なくとも一部に倣った形状であるのが好ましい。レンズ保持具１にレンズ５の光学面の形状を転写させるべく、保持部材３に塑性を具備させて、レンズ５を（接合部材の素材４ａを挟んで）保持部材３に押し当てる際に、「所定の形状」がレンズ５の光学面に倣った形状ならば、塑性を有する保持部材３をわずかに変形させるだけで済む。つまり、わずかな押し当てにより、使う人の個々のレンズ５のプリズム量を反映した形状の保持部材３を形成できる。
【００３９】
通常ならば、プリズム量を光学面に計算上で反映させると、膨大な計算が必要になる。しかしながら、「所定の形状」がレンズ５の光学面の少なくとも一部に倣った形状の場合、押し当てという簡素な作業のみでプリズムリングの役割をも担う保持部材３を形成することが可能となる。
【００４０】
なお、ここで言う「倣った形状」というのは、レンズ５の光学面の形状と同一又は類似の形状のことを言う。この「類似の形状」とは、レンズ５を（接合部材の素材４ａを挟んで）保持部材３に押し当てる際の保持部材３の変形量を少なくするような形状のことを言う。
具体的に言うと、レンズ５の光学面の形状が凸の場合は、レンズ５が押し当てられる保持部材３の部分の形状が凹の場合である。逆に、レンズ５の光学面の形状が凹の場合は、レンズ５が押し当てられる保持部材３の部分の形状が凸の場合が、例として挙げられる。
【００４１】
また、「レンズ５の光学面の少なくとも一部に倣った形状」の「少なくとも一部」が示すように、レンズ５の光学面の全体に倣って、保持部材３に記憶された「所定の形状」を設定しなくとも構わない。結局のところ、本実施形態の保持部材３は、レンズ５の保持の際に、少なくともレンズ５のプリズム量を反映し、レンズ５の光学面の一部に合った形状となれば良い。その一例を挙げると、略リング状の保持部材３が挙げられる。略リング状の保持部材３ならば、予めレンズ５の光学面の一部（レンズ５の外周近傍部分）の形状に類似の形状を、記憶された「所定の形状」としておく。その上で、予め保持部材３のリングの上に接合部材の素材４ａを塗布しておき、光学面の一部（レンズ５の外周近傍部分）のプリズム量及び形状が反映されるようにレンズ５を保持部材３に押し当て、保持部材３を変形する。そうすることにより、保持部材３のリングの上の部分がプリズム量及び光学面の形状を反映させたものとなる。その際、所定の形状が、光学面の一部に倣った形状であるため、接合部材４の厚さを小さくでき、接合部材の素材４ａのロスを少なくすることができる。その結果、最終的にレンズ保持具１とレンズ５とを適切に保持することが可能になる。もちろん、円盤状の保持部材３を用い、光学面の全面に倣った形状を「所定の形状」としても構わないし、接合力の観点から考えるとその方が好ましい場合もある。
【００４２】
上記の構成を基にレンズ保持具１を形成する際、レンズ５に良く用いられるプリズム量を数種類に分類（例えば小プリズム量（図３（ａ））、中プリズム量（図３（ｂ））、大プリズム量（図３（ｃ））と分類）し、この複数の分類が有するプリズム量を反映した保持部材３の表面形状を「所定の形状」として、保持部材３に初めから記憶させておいても良い。
また、同様に、レンズ５に良く用いられるカーブ値を数種類に分類（例えば小曲率、中曲率、大曲率と分類）し、この複数の分類について各々それらの曲率に近い曲面形状を「所定の形状」として保持部材３に初めから記憶させておいても良い。
上記の構成を採用することにより、どのレンズ５を保持する際にも、保持部材３の変形量を少とすることができる。そうなると、レンズ５の押し当て工程の簡素化にもつながり、レンズ製造工程全体に要する時間を短くすることができる。
【００４３】
また別の具体例を挙げると、レンズ５が押し当てられる保持部材３の部分の「所定の形状」は球面レンズ５が有する形状（例えば所定の球状＋トーリック面形状）にしておくことも挙げられる。こうすることにより、基本的な球面レンズ形状に対し、使う人の個々のレンズ５において球面レンズ形状から外れた成分（例えば非球面形状）のみをレンズ保持具１に反映させるような変形を保持部材３に加えることが可能となる。
【００４４】
Ｃ）接合部材
本実施形態の接合部材４は、上記の保持部材３とレンズ５との間を接合するものであれば良い。ただ、接合の容易性を考えると、接合部材の素材４ａは、保持部材３上に塗布可能な物質であるのが好ましい。また、レンズ５に与える影響を考慮すると、接合部材の素材４ａとしては、温度以外のエネルギー（例えば光）により硬化する物質が好ましい。また、接合部材４に対しても形状記憶性を有する物質を用いても構わない。
なお、本明細書においては、保持部材３とレンズ５とを接合後（例えば硬化後）の状態のものを「接合部材４」と言う。一方、保持部材３とレンズ５との接合前（例えば硬化前）の状態のものを「接合部材の素材４ａ」と言う。
【００４５】
なお、この接合部材の素材４ａとして好適なのは、ＵＶ硬化樹脂である。ＵＶ硬化樹脂ならば、硬化させるのに比較的簡素な手法で硬化させることができる。しかも、レンズ５に変形や変質等の影響を与えるおそれが少ない。また、接合部材４が硬化後のＵＶ硬化樹脂ならば、保持部材３と同様、眼鏡用のプラスチックレンズを加工する場合、上述の通り、切削刃や研磨器具の干渉を気にすることなく、レンズ保持具１ごとプラスチックレンズを加工可能となる。
【００４６】
ところで、保持部材３における「所定の形状」がレンズ５の光学面の少なくとも一部に倣った形状の場合、接合部材４の厚さを小さくすることが可能となるという顕著な効果を奏する。以下、接合部材４の厚さについて詳述する。
【００４７】
本実施形態における接合部材４はＵＶ硬化樹脂を使用している。ある物質とある物質とを接合する物質においては、その接合力は、当該ある物質に対する表面張力（表面自由エネルギー）や接合部材４の厚さに関係してくる。一般的に、この種の接合部材４は、厚くなりすぎると接合力が低下する。そのため、この種の接合部材４は、薄くすることが必要になる。また、ＵＶ硬化樹脂は安価なものではないため、接合に用いられる素材を可能な限り少なくすることも必要である。
【００４８】
そこで、本実施形態の保持部材３のように、「所定の形状」がレンズ５の光学面の少なくとも一部に倣った形状とすると、保持部材３上に塗布する接合部材の素材４ａが最小限で済む。つまり、レンズ５の光学面を反映した形状を有する保持部材３上に接合部材の素材４ａを塗布しておけば、保持部材３に倣った形状のレンズ５が押し当てられることになるため、保持部材３の端から流れ落ちる接合部材の素材４ａの量を極めて少なくすることができる。
【００４９】
これに対し、特許文献１〜３の場合にしても、特許文献４の場合にしても、溶融したアロイ又は熱可塑性樹脂の溜まり（いわばプール）の表面部分にレンズ５を漬けるという構成を採用している。レンズ５の光学面の形状が凸の場合、凸の部分の頂点近傍のアロイ又は熱可塑性樹脂（ブロック材）の厚さは薄くなるが、それ以外の部分（例えばレンズ５端部に対応する部分）においては、相当の厚みを有することになる。特に、特許文献４において、一つのプリズムリングを用いる場合であって、大きなプリズム量（傾き）を有するレンズ５の場合、レンズ５端部に対応する部分におけるブロック材の厚さは極めて大きくなる。そうなると、レンズ保持具１とレンズ５との間の接合力を確保できないおそれがある。
【００５０】
しかしながら、本実施形態のレンズ保持具１ならば、既にレンズ５の光学面を反映した形状となっている保持部材３を使用するため、接合部材の素材４ａのプールを設ける必要が無く、保持部材３にレンズ５を押し当てて両者の形状を合わせたとしても、余分な接合部材の素材４ａを発生させることがなくなる。そうなると、適切な接合力を確保することが可能となるうえ、ＵＶ硬化樹脂は安価なものではないため、接合に用いられる素材を可能な限り少なくすることが可能となる。
なお、本実施形態の保持部材３の「所定の形状」がレンズ５の光学面の少なくとも一部に倣っていないとしても、後述の［実施の形態２］で述べるように、先に保持部材３をレンズ５の光学面に合わせて変形させていれば、その変形の後に接合部材の素材４ａを塗布することにより、保持部材３上に塗布する接合部材の素材４ａが最小限で済む。その結果、「所定の形状」がレンズ５の光学面の少なくとも一部に倣っていないとしても、上記の効果を奏することも可能になる。
【００５１】
Ｄ）その他
本実施形態においては、保持部材３及び接合部材４以外にも、レンズ保持具１を構成するものを設けても構わない。例えば、ヤトイ２が挙げられる。また、接合部材４とレンズ５との間に、別途保護フィルムを設けても構わない。ヤトイ２や保護フィルム以外であっても、適宜、本実施形態のレンズ保持具１に設けても構わない。
なお、レンズ保持具１において特記が無い部材については、公知の技術を用いても構わない。
なお、本実施形態の保持部材３においては、デブロッキングに関しても好ましい態様が存在する。それについては、以下の＜２．レンズの保持方法（ブロッキングのメカニズム）＞にて詳述する。
【００５２】
＜２．レンズの保持方法（ブロッキングのメカニズム）＞
本実施形態におけるレンズ５の保持方法の概要を先に言うと、本実施形態は、レンズ５の形状に合わせて保持部材３を変形させる保持部材変形工程と、上記保持部材変形工程後、上記レンズ５を保持する保持工程とを有し、上記保持部材３は、上記保持部材変形工程においては、自力にて所定の形状を維持しつつも塑性を有し、レンズ５の光学面の形状に合わせて変形自在である一方、上記保持工程においては、上記塑性が失われることになる。
以下、レンズ５の保持方法について、図４を用い、ブロッキングのメカニズムを中心に詳述する。また、上記以外の工程についても説明する。なお図４は、本実施形態におけるレンズ５の保持方法を工程順に示す断面概略図である。
なお、特記が無い工程については、公知の技術を用いても構わない。
【００５３】
Ａ）接合部材の素材（ＵＶ硬化樹脂）の塗布工程
まず、図４（ａ）に示すように、保持部材３の上に接合部材の素材４ａ（以降、「ＵＶ硬化樹脂」とも言う。）を塗布する。この時の保持部材３の形状は、後の保持部材変形工程でレンズ５の光学面を反映することができるような形状であれば良い。もちろん、この後の工程をスムーズに行うために、上記の所定の形状を有している（即ち形状記憶させた状態の）方が好ましい。また、塑性については失っていても構わない。むしろ、ＵＶ硬化樹脂の塗布の際の保持部材３の無用な変形を避けるため、塑性を失っている方が好ましい場合もある。なお、ＵＶ硬化樹脂の塗布方法は、公知のものを使えばよい。
【００５４】
Ｂ）塑性発現工程（加温工程）
保持部材３の上にＵＶ硬化樹脂を塗布した後、保持部材３を加温する。その際、後の接合工程に支障がなければ、ＵＶ硬化樹脂ごと加温しても構わない。こうすることにより、保持部材３に塑性を発現させる。
【００５５】
Ｃ）保持部材変形工程
塑性が発現した保持部材３、及びその上に塗布されたＵＶ硬化樹脂に対し、図４（ｂ）に示すように、レンズ５を押し当てる。そして、レンズ５の形状に合わせて保持部材３を変形させる。その際、ＵＶ硬化樹脂は、液状のまま、保持部材３とレンズ５との間に存在している。なお、このレンズ５は、ＵＶ遮蔽機能を有していても良い。その場合は、以下の接合工程（ＵＶ照射工程）において、保持部材３側からＵＶを照射することになる。
【００５６】
Ｄ）接合工程（ＵＶ照射工程）
次に、ＵＶ硬化樹脂に対してＵＶを照射して、保持部材３に設けられたＵＶ硬化樹脂を硬化させ、上記保持部材３と上記レンズ５とを接合する。その際、眼鏡用のプラスチックレンズがＵＶ遮蔽機能を有する場合、上記保持部材３側からＵＶを照射してＵＶ硬化樹脂を硬化させる。その上で、上記保持部材３と上記レンズ５とを接合する。眼鏡用のプラスチックレンズにはＵＶ遮蔽機能が備わっているのが通常である。仮に眼鏡用のプラスチックレンズ側からＵＶを照射すると、レンズ５によりＵＶが遮蔽されてしまい、ＵＶ硬化樹脂を硬化させることができなくなってしまう。そのため、図４（ｃ）に示すように、保持部材３側からＵＶを照射することにより、ＵＶ硬化樹脂にＵＶを届かせ、ＵＶ硬化樹脂を硬化させる。
【００５７】
Ｅ）保持工程
その後、保持部材３の変形を抑制してレンズ５の保持を確実にすべく、保持部材３の塑性を失わせるべく、保持部材３を冷却する。その際、本実施形態においては、作業を容易にすべく、レンズ５と接合部材４も共に冷却されても構わない。こうすることにより、保持部材３の塑性が失われ、レンズ５の光学面の形状を反映したまま保持部材３の形状が固定される。その上、保持部材３とレンズ５とが接合部材４（ＵＶ硬化樹脂）により接合された状態となっている。結局、この状態を維持することにより、レンズ保持具１によるレンズ５の保持工程が行われることになる。
なお、この保持工程の間に、上記のＣＧ加工や研磨等を行うことになる。
【００５８】
Ｆ）デブロッキング
一連の加工が終了した後、レンズ保持具１からレンズ５を取り外すことになる。本実施形態における保持部材３は、ブロッキングに関する塑性の発現及び喪失に加え、所定の条件だと上記レンズ５の光学面に合わせた形状を維持する一方、別の所定の条件だと上記レンズ５に対する保持力を弱める形状へと自己変形するという性質を有している。つまり、レンズ５をレンズ保持具１から脱離する際においては、上記保持部材３は、上記レンズ５に対する保持力を弱める形状へと自己変形する。この構成を有することにより、本実施形態におけるレンズ保持具１は、デブロッキングの際にも特別な効果を発揮する。以下、その効果について詳述する。
【００５９】
本実施形態によれば、レンズ保持具１がレンズ５を保持している間はその形状を維持しつつも、デブロッキングの際にレンズ保持具１を自己変形させることによりレンズ保持具１からレンズ５を容易に脱離させることが可能となる。そうなると、ブロック材に対する加熱や薬剤によるブロック材の溶解という方法は、最終製品となるレンズ５に変形や変質等、何らかの望ましくない影響を与えるおそれを抑制することが可能となる。特に、当該レンズ５がプラスチックレンズの場合、影響が顕著になるところ、そのおそれを効果的に抑制できる。また、特許文献４のように、熱可塑性樹脂からなるブロック材が加熱されることによりプラスチックレンズをデブロッキングしやすくなるとしても、同じく樹脂を含有するプラスチックレンズも変形や変質するおそれを抑制することが可能となる。そのため、プラスチックレンズが変形や変質しないようにするために、ブロック材の融点やガラス転移温度とプラスチックレンズの融点やガラス転移温度との関係に配慮する必要がなくなる。そうなると自ずと、使用可能なプラスチックレンズやブロック材の素材を限定する必要がなくなる。更に、デブロッキングにおいて精密な温度制御は不要となり、ひいてはレンズ製造工程全体に要する時間を短縮化することが可能となり、生産効率を向上させることにもつながる。
【００６０】
更に、本実施形態によれば、デブロッキングした後のレンズ保持具１をリサイクル（再利用）することも可能となる。そうなるとレンズ５以外の、レンズ保持具１のための原料を別途、用意する必要が無くなる。そうなると、廃棄物の減少にもつながる。その結果、費用を削減できる上、リサイクルが推奨される昨今の状況に則し、環境に対する配慮を十分に行うことができる。
【００６１】
また、レンズ保持具１とレンズ５との間に接着シートを設ける方法と比べた場合においても、本実施形態の手法を適用することにより、接着シートのように使い捨てする必要がなくなり、廃棄物の減少にもつながる。その結果、費用を削減できる上、リサイクルが推奨される昨今の状況に則し、環境に対する配慮を十分に行うことができる。
それに加え、接着シートを用いてブロッキングを行った場合、デブロッキングを行う際にはレンズ５ごと加熱して接着シートからレンズ５を脱離させずとも良く、上述のレンズ５の変形や変質をもたらさなくとも済む。
【００６２】
真空チャックを行う方法と比べた場合においても、そもそも特許文献１〜４のようにレンズ５の光学面の形状に倣わせるようなレンズ保持具１を作製することができない。つまり、特許文献１〜４のようにアロイやブロック材を形成した後、真空チャック構造をレンズ保持具１に設ける必要がある。この作業は容易ではないことが想定される。その上、上述のように多種のレンズ５各々に対する多数のレンズ保持具１に対して真空チャック構造を設けることは現実的ではない。
【００６３】
また、真空チャックを行う方法や、レンズ保持具１とレンズ５とを機械的にデブロッキングする方法と比べた場合においても、上記の保持部材３を用いるのならば、初期形状の保持部材３において真空チャックが可能な構造を形成しておくことも可能となるし、機械的にデブロッキングするのではなく保持部材１が自己変形することによりデブロッキングが容易化されるため、デブロッキングの際にレンズ５に予期しない傷を与えるおそれを軽減できる。
【００６４】
また、従来のレンズ保持具１においては、レンズ５の光学面やヤゲンの形状、玉型形状、コバ厚等を設計通りに加工すべく、レンズ５とレンズ保持具１との間が強固にブロッキングされている状況にもかかわらず、本実施形態のレンズ保持具１ならばデブロッキングの難易度を低下させることも可能となる。
【００６５】
以上の通り、本実施形態によれば、レンズ保持具１からレンズ５の脱離を簡素に行いつつも、脱離の際にレンズ５に与える影響を抑制することが可能となる。
【００６６】
以下、レンズ５のデブロッキング（脱離方法）について、図５を用い、デブロッキングのメカニズムを中心に詳述する。なお図５は、本実施形態におけるレンズ５の脱離方法を工程順に示す断面概略図である。
【００６７】
まず、概要について述べると、上記保持工程後、上記保持部材３を、上記レンズ５に対する保持力を弱める所定の形状へと自己変形させることにより、上記レンズ保持具１に保持された上記レンズ５を当該レンズ保持具１から脱離する脱離工程（デブロッキング）が行われる。
つまり、図５（ａ）のように保持工程が行われている状態から、図５（ｂ）のようにレンズ保持具１における保持部材３が形状記憶性を有することを利用し、レンズ５に対する保持力を弱める所定の形状へと自己変形（即ち、所定の形状に復元）させる。
【００６８】
また、保持部材３が形状記憶性を有する樹脂組成物ならば、当該記憶させた形状は、レンズ５の光学面が凸の場合だと、保持部材３においてレンズ５の光学面の形状に対応する部分のうちの少なくとも一部の形状が凸又は平坦であるのが好ましい。逆に、レンズ５の光学面が凹の場合だと、保持部材３においてレンズ５の光学面の形状に対応する部分のうちの少なくとも一部の形状が凹又は平坦であるのが好ましい。なぜならば、後述のＦ）デブロッキングにおいて、保持部材３が記憶された形状へと復元すべく自己変形する際に、保持部材３はレンズ５の光学面と同様の形状（レンズが凸に対して保持部材も凸）を有することになる。そうなると、レンズ５に対する保持力を弱めることが、保持部材３の（例えば加温による）自己変形にて可能となり、デブロッキングの容易化を促すためである。なおこの際、レンズの光学面が凸の場合だと所定の形状は凸又は平坦であり、レンズ５の光学面が凹の場合だと所定の形状は凹又は平坦であっても良い。こうすることにより、Ｆ）デブロッキングの際に、保持部材３が自己変形することによりレンズ５を押し出す方向にレンズ５の光学面全体に力が作用することになり、より好ましい。一方、レンズ保持具１がレンズ５の凸面を保持している場合、保持部材３の形状は凹となっている。そのため、レンズ５に対する保持力を弱めるという観点では、レンズ５の光学面の中でも比較的使用頻度の少ない周縁部に該当する保持部材３の部分（保持部材３の周縁部）に凸の形状を単数又は複数部分にて記憶させておきつつ、保持部材３全体としてはレンズ５の凸面をスムーズに合わせるべく凹の形状を記憶させておいても良い。その際、保持部材３の一部に記憶される凸の形状は、連続した凸（例えば保持部材３の外周に沿った連続凸状）でも良いし、単体の凸（例えば保持部材３の外周近傍に記憶された単数又は複数の突起状）でも良い。
まとめると、Ｆ）デブロッキングの前ではレンズ５の光学面に合わせた形状となっている保持部材３がＦ）デブロッキングにおいて自己変形する際、レンズの光学面を押し出すことによりレンズ５の脱離を促す形状へと自己変形させることができるのが好ましい。
【００６９】
Ｇ）保持部材の形状復元工程
更に、本実施形態のレンズ保持具１は、ブロッキングの際に特に問題となっていた「リサイクル性」についても解決することが可能となる。以下、リサイクル性の向上に寄与する、保持部材３の形状復元工程の重要性について詳述する。
【００７０】
従来、特許文献４のように、処方に応じたプリズムリングを多数用意する代わりに、各人の処方に応じてレンズ５を製造する場合、その都度、熱可塑性樹脂の使い捨てを行わなければならない。また、特許文献１〜３におけるブロッキングリング（プリズムリング）についても、レンズ５を使う人の個々の処方に合わせてプリズムリングを作製しなければならない。そのため、廃棄物の増加につながり、その結果、費用が嵩むことは当然として、リサイクルが推奨される昨今の状況にもかかわらず、環境に対する配慮が乏しくなっていた。
【００７１】
しかしながら本実施形態における保持部材３には形状記憶性を有する物質（樹脂塑性物）を用いている。そのため、デブロッキング後において、形状記憶性を発揮する所定の条件（例えば温度）の環境下に保持部材３を置くことにより、ブロッキング前の形状に復元する。その前後において、図５（ｃ）に示すように、必要に応じて接合部材４を除去する。具体的手法としては、公知のものでも構わない。例えば接合部材４としてＵＶ硬化樹脂を用いている場合、ＵＶ硬化樹脂用の溶解剤を用いても構わない。その後、次のレンズ５について保持工程を行うべく、復元された形状を有する保持部材３に対し、Ａ）接合部材の素材（ＵＶ硬化樹脂）の塗布工程を再び行う。そして、別のレンズ５に対し、Ｂ）塑性発現工程（加温工程）やＣ）保持部材変形工程等を行っていく。
なお、本工程であるＧ）保持部材の形状復元工程は、Ｆ）デブロッキングを兼ねて行っても良いし、別の工程として行っても構わない。同様に、本工程であるＧ）保持部材の形状復元工程は、後述の［実施の形態２］のように保持部材３の変形後に接合部材の素材４ａを設置する場合にはＢ）塑性発現工程（加温工程）を兼ねて行っても良いし、Ｆ）デブロッキングを更に兼ねて行っても良い。その場合、「所定の形状」は、形状記憶性を有する樹脂塑性物において、予め記憶された形状を指すことになる。もちろん、これらの工程を別の工程として行っても構わない。
【００７２】
こうすることにより、特許文献１〜４のように、プリズムリングなりブロック材なりを使い捨てなくとも済む。つまり、本実施形態におけるレンズ保持具１のうち、少なくとも保持部材３は、レンズ５の保持工程を行った後も、全く別のレンズ５に対して、リサイクル（再利用）を行うことが可能となる。先にも述べたように、通常、レンズ５は使う人の個々の処方により、光学面の形状が異なる。それにもかかわらず、上記の実施形態のレンズ保持具１ならば、多種多様なレンズ５に対する汎用性を有し、なおかつリサイクル性も向上させるという効果を奏する。
【００７３】
＜３．レンズの製造方法＞
以下、本実施形態におけるレンズ５の製造方法について説明する。なお、冒頭でも述べたように、本実施形態においては眼鏡用のプラスチックレンズを用いた場合について説明する。なお、上記の内容と重複する部分については、説明の便宜上、極力省略する。
なお、特記が無い工程については、公知の技術を用いても構わない。
【００７４】
Ａ）レンズの選定
レンズ５としてはどのような形状のレンズ５を用いても構わない。本実施形態においては、レンズ保持具１側にレンズ５の凸の部分が配置される例について述べる。そして、このレンズ５の凸の部分は、既に光学面が形成されたものである一方、それに対向する面は未加工状態のレンズ５（セミフィニッシュレンズ）を用いた例について述べる。
【００７５】
Ｂ）ブロッキング
上記の＜２．レンズの保持方法（ブロッキングのメカニズム）＞で述べた手法にて、レンズ保持具１にレンズ５をブロッキングする。そして、レンズ保持具１にレンズ５を保持する。詳細については上述の通りなので、記載を省略する。
【００７６】
Ｃ）ＣＧ加工
ブロッキングを行った後、レンズ保持具１ごとレンズ５をカーブジェネレータに取付け、保持されたレンズ５の未加工面を所定の形状に切削する切削工程を行う。その際、上記のＳＡＴＩＳＬＯＨ社製のレイアウトブロッカーと呼ばれる装置によってレンズ５付きレンズ保持具１を取り付けても良い。また、このレンズ５に対する切削加工は、レンズ保持具１ごと行っても構わない。
【００７７】
このようにしてレンズ５は、３次元ＮＣ制御を行うカーブジェネレータに上記レンズ保持具１を介して取付けられ、未加工面を所定の面形状に切削加工される。こうして、セミフィニッシュレンズであるレンズ５に対してＣＧ加工を施し、研磨前のレンズ５を得る。
【００７８】
なお、最近のＣＧ加工においては、高速で高精度のＮＣ（数値）制御のＣＧ加工が可能になっていることから、所定の面形状に切削する切削工程の後の、ラッピング加工に似た砂掛け工程を省略しても良い。もちろん、この砂掛け工程を行った後、以下の研磨を行っても良い。
【００７９】
Ｄ）研磨
ＣＧ加工後、レンズ５を、レンズ保持具１を介して研磨装置に取付け、切削された面を研磨することにより行う。本工程により、ＣＧ加工によりプラスチックレンズの光学面に形成された加工痕の段差等を無くす。なお、本工程を、後述の仕上げ研磨とともに、同一の研磨装置にてまとめて行っても良い。また、上記のＣＧ加工を、ＣＧ加工機能を備えた研磨装置にて行っても良い。
【００８０】
上記の粗研磨を行った後、レンズ５が鏡面状態になるまで研磨（即ち仕上げ研磨）を行う。なお、粗研磨と仕上げ研磨とを１工程でまとめて行っても良い。
【００８１】
Ｅ）デブロッキング
上記の＜２．レンズの保持方法（ブロッキングのメカニズム）＞で述べた手法にて、レンズ保持具１にレンズ５をデブロッキングする。つまり、レンズ保持具１からレンズ５を脱離させる。詳細については上述の通りなので、記載を省略する。
【００８２】
Ｆ）その他（カラー染色・検査・超音波洗浄・ハードコート加工・マルチコート加工等）
仕上げ研磨終了後、必要に応じて、カラー染色・検査・超音波洗浄・ハードコート加工・マルチコート加工等を、プラスチックレンズに施す。こうして、最終的な、眼鏡用のプラスチックレンズの完成品を製造する。
【００８３】
＜４．実施の形態による効果＞
本実施形態の効果に関し、再掲する部分もあるが、以下、詳述する。
【００８４】
従来だと、特許文献４に記載のように熱可塑性樹脂からなるブロック材とプラスチックレンズとの間の熱膨張率の違いによる、固化した熱可塑性樹脂とプラスチックレンズとの間の隙間の発生のおそれがあったが、本実施形態の保持部材３ならば、保持部材３の素材を溶融されるまでもなく、塑性が発現する程度の温度に加温すれば良い。そのため、上記隙間の発生をそもそも防ぐことができ、ブロッキングを良好に行うことが可能となる。また、保持部材３の素材が溶融するほどの高温状態とする必要もなくなるため、プラスチックレンズそのものが変性してしまうことを防ぐことも可能となる。
【００８５】
しかも、本実施形態の保持部材３には、ブロッキング前の段階から、自力にて所定の形状を維持しており、ブロッキング時には塑性を備えさせ、レンズ５の光学面形状に合わせてこの部材を所定の形状から変形させる一方、レンズ加工時等、レンズ５の保持が必要な時には当該塑性が失われることによってレンズ５が保持された状態となるようにするという性質を有したものを使用している。そうして、従来にあるアロイや熱可塑性樹脂そしてプリズムリングの役割を一手に担わせている。
【００８６】
つまり、プリズムリングという観点から見れば、所定の条件下で保持部材３を、自力にて所定の形状を維持しつつも塑性を有する状態にした上で、レンズ５を（接合部材の素材４ａを挟んで）保持部材３に押し当てるという簡素な作業を最低限行えば良くなる。こうすることにより、多焦点レンズ５の形状を反映させつつ所定のプリズムを有するようなプリズムリング７の形状を、その都度、計算で決定する必要がなくなる。つまり、従来におけるプリズムリング７を不要とすることが可能となる。しかも上述の通り、多焦点レンズ５の形状は、個々の処方に応じて決定されるため、１つ１つが極めて複雑な形状を有しているにもかかわらず、上記のような簡素な作業により、所定のプリズム量を反映させつつも光学面の形状を正確に反映した保持部材３が得られる。
【００８７】
また、アロイや熱可塑性樹脂という観点から見れば、本実施形態の保持部材３は、所定の条件下ならば、塑性を有しつつも、自力にて所定の形状を維持している。そのため、アロイ又はブロック材の溶融素材を注入する工程が不要となる。そうなると、注入工程の際に欠陥はそもそも発生することはなくなり、設計通りの保持具を形成することができる。ひいては、レンズ５の加工においても設計通りの加工を行うことが可能となる。
【００８８】
上記の構成を有することにより、従来にあるアロイや熱可塑性樹脂そしてプリズムリングの役割を、本実施形態の保持部材３が一手に担うことが可能となる。そして、ブロッキング時には塑性を備えさせ、レンズ５の光学面形状に合わせてこの部材を所定の形状から変形させることにより、レンズ５の光学面の形状の転写が比較的容易に行うことが可能となる。そして、レンズ加工時等、レンズ５の保持が必要な時には当該塑性を失わせることにより、レンズ５を保持可能な状態とすることが可能となる。しかも、プリズムリングを用いる必要なく、この保持を行うことが可能となる。
【００８９】
また、本実施形態のレンズ保持具１ならば、例えば、予め形状記憶させた「所定の形状」がレンズ５の光学面に倣っていた場合や、後述の変形例のように先に保持部材３にレンズ５の光学面を転写させておき、その後でＵＶ硬化樹脂を塗布する場合のように、保持部材３が既にレンズ５の光学面を反映した形状となっている保持部材３を使用することが可能となるため、接合部材の素材４ａのプールを設ける必要が無い。そうなると、保持部材３にレンズ５を押し当てて両者の形状を合わせたとしても、余分な接合部材の素材４ａを発生させることがなくなる。その結果、適切な接合力を確保することが可能となるうえ、ＵＶ硬化樹脂は安価なものではないため、接合に用いられる素材を可能な限り少なくすることが可能となる。
【００９０】
更に、本実施形態によれば、デブロッキングした後のレンズ保持具１をリサイクル（再利用）することも可能となる。そうなるとレンズ５以外の、レンズ保持具１のための原料を別途、用意する必要が無くなる。そうなると、廃棄物の減少にもつながる。その結果、費用を削減できる上、リサイクルが推奨される昨今の状況に則し、環境に対する配慮を十分に行うことができる。
【００９１】
以上の通り、本実施形態によれば、レンズ保持具１の素材の使用量を抑制しつつ、レンズ５の光学面に応じた形状を簡素且つ迅速に形成可能なレンズ保持具１及びレンズ５の製造方法を提供することが可能となる。
【００９２】
［実施の形態２］
実施の形態１においては、保持部材３上に接合部材の素材４ａを設けた後、レンズ５を押し当てることにより、接合部材の素材４ａもろとも保持部材３を変形させた場合について述べた。一方、本実施形態においては、先に保持部材３をレンズ５の光学面に合わせて変形させておき、その後、接合部材の素材４ａを塗布する場合について述べる。
【００９３】
具体的に言うと、上記の実施形態におけるＢ）塑性発現工程（加温工程）及びＣ）保持部材変形工程を、Ａ）接合部材の素材（ＵＶ硬化樹脂）の塗布工程に先んじて行っておく。つまり、図６（ａ）に示すように、保持部材３に対し、Ｂ）塑性発現工程（加温工程）を予め行っておく。そして、図６（ｂ）に示すように、塑性を有する保持部材３（但し、接合部材の素材４ａは未設置）に対し、レンズ５の光学面を押し当てる。こうして、保持部材３に光学面の形状を転写する。その後、図６（ｃ）に示すように、レンズ５の光学面に合わせた形状を有する保持部材３に対し、接合部材の素材４ａを設置する。具体的に言うと、レンズ５の光学面に合わせた形状を有する保持部材３に対し、ＵＶ硬化樹脂を塗布する。こうすることにより、塗布対象となる保持部材３の形状に合わせた量のみ、ＵＶ硬化樹脂を塗布すれば良くなる。そうすると、ＵＶ硬化樹脂の使用量を減少させることができ、コストダウンに繋がる。それに加え、保持部材３の形状に合わせてＵＶ硬化樹脂を薄く塗布することも可能となるため、最終的に硬化された後の接合部材４自体の厚さを薄くすることが可能となる。そうなると、保持部材３とレンズ５との間の接合力を適切に確保することが可能となる。
【００９４】
その後、図６（ｄ）に示すように、今度は保持部材３に接合部材の素材４ａが設けられたものに対し、再びレンズ５を押し当てる。その後、図６（ｅ）に示すように、レンズ保持具１側からＵＶ照射を行い、ＵＶ硬化樹脂を硬化させ、接合部材４を形成する。なお、図６（ｄ）の際には、保持部材３は塑性を有していても構わないし、逆に塑性を失っていても構わない。ただ、保持部材３においては既に正確な光学面の形状が反映されていることから、再度のレンズ５の押し当てによる保持部材３の意図しない変形を抑制するためには、保持部材３に接合部材の素材４ａが設けられたものに対し、再びレンズ５を押し当てる際には、塑性を失っている状態であるのが好ましい。
【００９５】
［実施の形態３］
本実施形態においては、保持部材３の具体的な化合物の組成及び製造方法について述べる。
【００９６】
上記の実施形態の保持部材３に使用されるのは、一例としては、結晶性ウレタンポリマーである。この結晶性ウレタンポリマーは、秩序を持った分子配列をなして、明瞭な結晶構造が見られる物質である。そして、融点を有する結晶性ポリエステルポリオールと多官能イソシアネートをウレタン結合で合成して得られる。形状記憶性を有する樹脂化合物（以降、単に「形状記憶樹脂」とも言う。）の形状が復元する温度を考慮すると、この結晶性ポリエステルポリオールの融点は２０℃以上好ましくは４０℃以上であることが望ましい。この結晶性ポリエステルポリオールの融点が２０℃以上ならば、室温であっても所定の形状に復元することが可能となる。更に、４０℃以上ならば、加工中の温度であったとしても所定の形状に復元することが可能となる。
【００９７】
結晶性ポリエステルポリオールとは一種類または二種類以上の脂肪族ポリカルボン酸と、一種類または二種類以上の脂肪族ポリオールの反応生成物である。
【００９８】
上記の脂肪族ポリカルボン酸としては、例えばシュウ酸、マロン酸、琥珀酸、グルタミ
ン酸、アジピン酸、ピメリン酸、スベリン酸、アゼライン酸、セバシン酸、ノナメチレンジカルボン酸、デカメチレンジカルボン酸、ウンデカメチレンジカルボン酸、ドデカメチレンジカルボン酸などが挙げられる。
【００９９】
上記の脂肪族ジオールとは、例えばエチレングリコール、プロピレングリコール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１、１２−ドデカンジオール、１、１４−テトラデカンジオール、１，１６−ヘキサデカンジオール、１，１８−オクタデカンジオールなどが挙げられる。
【０１００】
上記の実施形態において多官能イソシアネート化合物としては、４，４’−ジフェニルメタンジイソシアネート（ＭＤＩ）、ｐ−フェニレンジイソシアネート、トリレンジイソシアネート（ＴＤＩ）、１，５−ナフタレンジイソシアネート（ＮＤＩ）、４，４’−ジフェニレンジイソシアネート、１，５−オクチレンジイソシアネート、ヘキサメチレンジイソシアナネート（ＨＤＩ）、イソホロンジイソシアネート（ＩＰＤＩ）、キシリレンジイソシアネート（ＸＤＩ）、水添ＭＤＩ、水添ＸＤＩなどが挙げられる。
【０１０１】
結晶性ポリエステルポリオールのＯＨ基と多官能イソシアネートのＮＣＯ基の当量比が、１：１．１以上（即ち多官能イソシアネートのＮＣＯ基の比率を１．１以上）とするのが好ましい。また、結晶性ポリエステルポリオールのＯＨ基と多官能イソシアネートのＮＣＯ基の当量比を１：２以上（即ち多官能イソシアネートのＮＣＯ基の比率を２以上）にしたウレタンプレポリマーを製作しこれを適当な硬化剤によって反応せしめてもよい。
【０１０２】
結晶性ウレタンポリマーの合成反応は、結晶性ポリエステルポリオールを所定量反応容器に入れ、均一な温度分布で制御し得る加熱器にて６０〜２００℃、好ましくは１００℃〜１５０℃に加熱しながら攪拌し、真空中あるいは乾燥窒素を吹き込み、脱水を十分に行う。次に、所定量の多官能イソシアネート化合物を添加し、反応容器内にドライ窒素を吹き込むか、反応容器内を真空にして、水分が入らないようにして攪拌を行う。
【０１０３】
攪拌後、室温、好ましくは４０〜１２０℃の温度で反応・硬化させ、保持部材３を所定の形状に成形する。なお、この保持部材３は、硬化させた際の形状（所定の形状）を記憶する。
【０１０４】
形状記憶固定治具は相転移温度以上に加温することにより記憶した形状に戻る。この現象は、何度でも繰り返し可能である。
【０１０５】
この相転移点とは、この形状記憶樹脂を変形させたりした後、元の形に復元する温度のことである。この形状記憶樹脂はこの形状樹脂は相手転移点以上で変形応力を加えたまま固化、あるいは相転移点以下で変形させてもそのまま形状を維持したままであるが、原料に用いた結晶性ポリエステルポリオールの融点以上即ち相転移点以上の温度になると結晶性ポリエステルの部分が軟化して元の形状に復元すると考えられる。
【０１０６】
一般論ではあるが、ゴムや熱可塑性プラスチックは、相転移温度というものを有している。即ち、ある温度以上で柔らかなゴム状弾性を示すが、その温度以下では高分子鎖の動きが凍結固化し、硬いプラスチック状を示す。その温度を相転移点（ガラス転移点）という。一般に常温である力を加えた場合、柔軟でよく変形するが、力を取り去ると元の形状にもどる弾性体をゴムという。一方、常温では力を加えても非常に変形しにくく、無理に変形しようとするが出来ないことはないが、その変形率は一般に小さく、大きく変形使用とすると折れたり割れたりしてしまう硬いものをプラスチックと呼んでいる。プラスチックは変形できた場合でも、元の形状に復元しにくい。
【０１０７】
このような現象は、ゴムと呼ばれるものが常温よりもはるかに低い相転移温度を有していること、また、プラスチックと呼ばれているものが常温よりも高い相転移温度を有していることに起因している。
【０１０８】
一般に、形状記憶樹脂とは相転移温度以下の温度では樹脂、相転移温度以上の温度ではゴムに変形するような物質である。即ち、形状記憶樹脂の相転移温度は常温よりも高い。原料に用いた結晶性ポリエステルポリオールの融点が多官能イソシアネートと反応させた結晶性ウレタンポリマーを硬化させた樹脂の相転移点になり、この温度で変形させた形状記憶樹脂が元に戻ることを見いだしたことにより、上記の実施形態が想到された。即ち、本実施形態における保持部材３は、硬化した樹脂が相転移点以下だと硬化時の形を保持しようとする仕組みを有している。更に、それを相転移温度以上にあたためた場合、硬化させた原型に、戻ろうとする性質を有している。
上記の実施形態の眼鏡用のプラスチックレンズの製造に使用される保持部材３は、相転移点以上の温度で眼鏡レンズ５に対して自由に変形するので、図２（ｂ）のように水平からの傾斜角θ（プリズム量）を設定し、相転移点以下の温度にすればこの傾斜角θが維持される。
【０１０９】
［実施の形態４］
以下、上記の形態以外の変形例について述べる。
上記の実施の形態においては、レンズ５の凸の部分の形状に保持部材３を合わせる場合について述べた。その一方、図７（ａ）に示すように、レンズ５の凹の部分の形状に保持部材３を合わせても、もちろん構わない。
また、上記の実施の形態では、ヤトイ２と保持部材３とが別体の場合について述べた。その一方、図７（ｂ）に示すように、ヤトイ２と保持部材３とが一体成型されたレンズ保持具１を用いても構わない。その上で、特許文献２のようにヤトイ２を複数の部材に分けて形成しても構わないし、特許文献３のようにヤトイ２（レンズ保持具１）に対してレンズ加工装置に装着可能なようにアダプタを別途設けても構わない。
また、図７（ｃ）に示すようにレンズ５の外縁部を覆うようにレンズ保持具１をレンズ５に装着しても良い。こうすることにより、レンズ５の加工の際、レンズ保持具１にレンズ５を適切に保護することができる上、レンズ５の外縁部に加工ツールによる外力が加わり過ぎることを抑制でき、ひいてはレンズ５やレンズ保持具１の破損のおそれを抑制することができる。
【０１１０】
上記の実施形態においては、自力にて維持する「所定の形状」が形状記憶された形状である場合について述べた。その一方、一度レンズ５のＥ）保持工程を行った後、Ｇ）保持部材３の形状復元工程を経て、再びＣ）保持部材変形工程を行う際の保持部材３の形状は、完全に元の形に復元していない状態の形状であっても塑性を有していれば良い。
同様に、Ｆ）デブロッキングにおいて保持力を弱める形状は、形状記憶された「所定の形状」へと完全に復元していない形状であっても良い。
また、形状記憶された形状が「所定の形状」である場合、＜２．レンズの保持方法＞を１サイクル行った後に２サイクル目を行う際、「所定の形状」が更新されて記憶されていても構わない。つまり、＜２．レンズの保持方法＞のサイクルを終了するたびに、記憶されている「所定の形状」が更新され続けても構わない。
【０１１１】
また、上記の実施形態においては、「所定の形状」が形状記憶されたものである場合について述べた。その一方、レンズ保持具１を使い捨てと割り切るのならば、保持部材３に対して、形状記憶性を有する物質を用いなくとも良い。Ｃ）保持部材変形工程においてレンズ５の光学面に合わせて保持部材３を変形させる程度には、保持部材３は確かに塑性を有している。ただその後、塑性が失われ、Ｅ）保持工程が行われた後について言うと、塑性が再び復活しなくとも構わない。ただこの場合、レンズ保持具１（における少なくとも保持部材３）は使い捨てとなる可能性が高い。その一方、保持部材３はレンズ５の光学面を反映した形状となっているため、上述の通り、接合部材の素材４ａ（ＵＶ硬化樹脂）は、薄く塗布するだけで済む。そのため、結果として、レンズ保持具１のうちの接合部材の素材４ａの使用量を抑制することができる。その上、既に述べたように、レンズ５の光学面に応じた形状を簡素且つ迅速に形成可能となる。その結果、塑性が失われ、Ｅ）保持工程が行われた後について言うと、塑性が再び復活しなくとも構わない。もちろん、上述のリサイクル性や廃棄物の発生量の抑制という観点から見ると、保持部材３に形状記憶性を有する物質を用いることが好ましいことは言うまでもない。
【０１１２】
また、上記の実施形態においては「所定の形状」が、予め記憶された形状である場合について主に述べた。詳しく言うと、＜２．レンズの保持方法（ブロッキングのメカニズム）＞のＢ）塑性発現工程（加温工程）において保持部材３が自力にて維持する形状αと、Ｇ）保持部材の形状復元工程において復元される保持部材３の形状βが同じ場合について主に述べた。その一方、この形状αと形状βが異なる形状であっても良い。一例を挙げれば、Ｂ）塑性発現工程（加温工程）においては形状αだった保持部材３が、Ｃ）保持部材変形工程〜Ｆ）デブロッキングを経た後に、形状αとは異なる形状βへと自己変形しても構わない。更に、この形状βを有する保持部材３に対して、２サイクル目のレンズの保持を行っても構わない。
【０１１３】
上記の実施形態においては接合部材４を設けた場合について述べたが、保持部材３の塑性の発現・喪失にてレンズ５の保持が可能ならば、接合部材４を設けなくとも構わない。また、接合部材４に代わる部材を用いても構わない。
【０１１４】
また、上記の実施形態は「レンズ保持具」「レンズの保持方法」「レンズの製造方法」に関するものであるが、もちろん、上記のレンズ保持具１を採用した「レンズの製造装置」にも本発明の思想は適用しうる。それに加え、「レンズ付きレンズ保持具（特にプラスチックレンズに関するもの）」についても本発明の思想を適用しても良い。レンズ提供者は、「レンズ付きレンズ保持具」を市場へと投入することも有効であると考えられる。こうすることにより、眼鏡店等に設置されたレンズ加工装置に「レンズ付きレンズ保持具」を装着するだけで、レンズ５の位置ずれを効果的に抑制しつつ、設計通りのレンズ５を作製することが可能となる。しかも、デブロッキングの際に、上記の実施の形態に記載のように、保持力を弱める形状記憶性を保持部材３が有しているのなら、デブロッキングすらも容易、簡素且つ確実に行うことができる。
【０１１５】
更に、本発明の思想はプリズムリング７そのものにも適用可能である。具体例としては、レンズ５におけるプリズム量に応じた傾斜を有するプリズムリング７であって、所定の条件だと、自力にて所定の形状を維持しつつも塑性を有し、上記レンズ５の光学面の形状に合わせて変形自在である一方、別の所定の条件だと上記塑性が失われることを特徴とするプリズムリング７が挙げられる。更に詳細に言うと、上記レンズ保持具１の形状を上記レンズ５の光学面の形状に合わせて変形させる際においては、上記保持部材３は、自力にて所定の形状を維持しつつも塑性を有し、アロイ８又は熱可塑性樹脂等、ヤトイ２とレンズ５との間を固定する物質をそれらの間に注入して固化する際においては、上記保持部材３は上記塑性を失い、上記レンズ５の光学面に合わせた形状を維持するプリズムリング７が挙げられる。その他の更に詳細な内容については、上記の実施形態の保持部材３と同様である。
確かに、本実施形態のレンズ保持具１においては保持部材３にプリズムリング７の機能をも担わせている。しかしながら、プリズムリング７自体に上記の性質（塑性発現及び喪失、形状記憶性等）を備えた物質を用いても構わない。こうすることにより、当初は所定の形状（レンズ５が有するプリズム量とは異なるプリズム量）を有するプリズムリング７であったとしても、プリズムリング７に対して塑性を発現させ、レンズ５をプリズムリング７に押し当ててプリズムリング７を変形させることにより、レンズ５に応じたプリズム量をプリズムリング７に反映させることができる。その後、プリズムリング７の塑性を失わせ、アロイ８又は熱可塑性樹脂等、ヤトイ２とレンズ５との間を固定する物質を形成すれば良い。そうすれば、レンズ５の光学面に応じた形状をプリズムリング７に対して簡素且つ迅速に形成することが可能となるのに加え、少なくともプリズムリング７を使い捨てなければならないという状況を改善できる。その結果、プリズムリング７に対し、上記の性質を備えた物質を用いたとしても、本発明の効果を発揮することが可能となる。その場合、レンズ５保持部の一部材として、特許文献１〜３に記載のアロイを用いても良いし、特許文献４に記載の熱可塑性樹脂を用いても良い。
【０１１６】
なお、本発明の思想は上記の実施形態及び変形例に限られず、適宜、設計上の変更を加えたものや上記に列挙した物質（レンズ保持具１、プリズムリング７、レンズ５付きレンズ保持具１）以外についても適用可能であることは言うまでもない。特に、レンズ５のように精密な光学面を有するものについての技術（例えばバルーンパッドのような研磨器具等）に対しては本発明の思想が特に適用可能である。
【０１１７】
以下、その他の好ましい形態を付記する。
［付記１］（製造装置）
レンズを保持するのに供する保持部材を備えたレンズ保持具を有するレンズの製造装置であって、
前記保持部材は、所定の条件だと、自力にて所定の形状を維持しつつも塑性を有し、前記レンズの光学面の形状に合わせて変形自在である一方、別の所定の条件だと前記塑性が失われることを特徴とするレンズの製造装置。
［付記２］（プラスチックレンズの製造装置）
プラスチックレンズを保持するのに供する保持部材を備えたレンズ保持具を有するプラスチックレンズの製造装置であって、
前記保持部材は、所定の条件だと、自力にて所定の形状を維持しつつも塑性を有し、前記プラスチックレンズの光学面の形状に合わせて変形自在である一方、別の所定の条件だと前記塑性が失われることを特徴とするプラスチックレンズの製造装置。
［付記３］（レンズ付きレンズ保持具）
レンズと、
レンズを保持するのに供する保持部材と、
を有し、
前記保持部材は、所定の条件だと、自力にて所定の形状を維持しつつも塑性を有し、前記レンズの光学面の形状に合わせて変形自在である一方、別の所定の条件だと前記塑性が失われることを特徴とするレンズ付きレンズ保持具。
［付記４］（プラスチックレンズ付きレンズ保持具）
レンズと、
レンズを保持するのに供する保持部材と、
前記保持部材と前記レンズとの間に設けられた接合部材と、
を有し、
前記レンズはＵＶ遮蔽機能を有するプラスチックレンズであり、
前記接合部材は硬化後のＵＶ硬化樹脂であることを特徴とするプラスチックレンズ付きレンズ保持具。
［付記５］（プリズムリング）
レンズにおけるプリズム量に応じた傾斜を有するプリズムリングであって、
所定の条件だと、自力にて所定の形状を維持しつつも塑性を有し、前記レンズの光学面の形状に合わせて変形自在である一方、別の所定の条件だと前記塑性が失われることを特徴とするプリズムリング。
［付記６］
前記接合部材は硬化後のＵＶ硬化樹脂であることを特徴とするレンズ保持具。
［付記７］
前記所定の条件は温度に関する条件であることを特徴とするレンズ保持具。
［付記８］
前記レンズはプラスチックレンズであることを特徴とするレンズ保持具。
［付記９］
前記プラスチックレンズはＵＶ遮蔽機能を有することを特徴とするレンズ保持具。
［付記１０］（保持方法）
レンズを保持するのに供する保持部材を備えたレンズ保持具を用いたレンズの保持方法であって、
レンズの形状に合わせて保持部材を変形させる保持部材変形工程と、
前記保持部材変形工程後、前記レンズを前記レンズ保持具により保持する保持工程と、
を有し、
前記保持部材は、前記保持部材変形工程においては、自力にて所定の形状を維持しつつも塑性を有し、レンズの光学面の形状に合わせて変形自在である一方、前記保持工程においては、前記塑性が失われることを特徴とすることを特徴とするレンズの保持方法。
［付記１１］（プラスチックレンズの保持方法）
プラスチックレンズを保持するのに供する保持部材を備えたレンズ保持具を用いたプラスチックレンズの保持方法であって、
ＵＶ遮蔽機能を有するプラスチックレンズの形状に合わせて保持部材を変形させる保持部材変形工程と、
前記保持部材に設けられたＵＶ硬化樹脂を、前記保持部材変形工程後、前記保持部材側からＵＶを照射して硬化させ、前記保持部材と前記プラスチックレンズとを接合する接合工程と、
前記接合工程後、前記レンズを前記レンズ保持具により保持する保持工程と、
を有し、
前記保持部材は、前記保持部材変形工程においては、自力にて所定の形状を維持しつつも塑性を有し、レンズの光学面の形状に合わせて変形自在である一方、前記保持工程においては、前記塑性が失われることを特徴とすることを特徴とするプラスチックレンズの保持方法。
［付記１２］（プラスチックレンズの製造方法）
プラスチックレンズを保持するのに供する保持部材を備えたレンズ保持具を用いたプラスチックレンズの製造方法であって、
ＵＶ遮蔽機能を有するプラスチックレンズの形状に合わせて保持部材を変形させる保持部材変形工程と、
前記保持部材に設けられたＵＶ硬化樹脂を、前記保持部材変形工程後、前記保持部材側からＵＶを照射して硬化させ、前記保持部材と前記プラスチックレンズとを接合する接合工程と、
前記接合工程後、前記レンズを前記レンズ保持具により保持する保持工程と、
を有し、
前記保持部材は、前記保持部材変形工程においては、自力にて所定の形状を維持しつつも塑性を有し、レンズの光学面の形状に合わせて変形自在である一方、前記保持工程においては、前記塑性が失われることを特徴とすることを特徴とするプラスチックレンズの製造方法。
［付記１３］（デブロッキング）
前記保持部材は形状記憶性を有し、所定の条件だと前記レンズの光学面に合わせた形状を維持する一方、別の所定の条件だと前記レンズに対する保持力を弱める形状へと自己変形することを特徴とするレンズ保持具。
［付記１４］（デブロッキング）
前記レンズの光学面が凸の場合だと、前記保持部材において前記レンズの光学面の形状に対応する部分のうちの少なくとも一部の形状が凸又は平坦であり、前記レンズの光学面が凹の場合だと、前記保持部材において前記レンズの光学面の形状に対応する部分のうちの少なくとも一部の形状が凹又は平坦であることを特徴とするレンズ保持具。
［付記１５］（ブロッキング＆デブロッキング）
レンズを保持するのに供する保持部材を備えたレンズ保持具であって、
前記保持部材は形状記憶性を有し、
前記レンズ保持具の形状を前記レンズの光学面の形状に合わせて変形させる際においては、前記保持部材は、自力にて所定の形状を維持しつつも塑性を有し、
前記レンズを前記レンズ保持具により保持する間においては、前記保持部材は前記塑性を失い、前記レンズの光学面に合わせた形状を維持し、
前記レンズを前記レンズ保持具から脱離する際においては、前記保持部材は、前記レンズに対する保持力を弱める形状へと自己変形することを特徴とするレンズ保持具。
［付記１６］（ブロッキング＆デブロッキングのレンズの製造方法）
レンズを保持するのに供する保持部材を備えたレンズ保持具を用いたレンズの製造方法であって、
レンズの形状に合わせて、形状記憶性を有する保持部材を変形させる保持部材変形工程と、
前記保持部材変形工程後、前記レンズを前記レンズ保持具により保持する保持工程と、
前記保持工程後、前記保持部材を、前記レンズに対する保持力を弱める所定の形状へと自己変形させることにより、前記レンズ保持具に保持された前記レンズを当該レンズ保持具から脱離する脱離工程と、
を有し、
前記保持部材は、前記保持部材変形工程においては、自力にて所定の形状を維持しつつも塑性を有し、レンズの光学面の形状に合わせて変形自在である一方、前記保持工程においては、前記塑性が失われることを特徴とすることを特徴とするレンズの製造方法。
［付記１７］（ブロッキング＆デブロッキングのプラスチックレンズの製造方法（ＵＶ））
プラスチックレンズを保持するのに供する保持部材を備えたレンズ保持具を用いたプラスチックレンズの製造方法であって、
ＵＶ遮蔽機能を有するプラスチックレンズの形状に合わせて、形状記憶性を有する保持部材を変形させる保持部材変形工程と、
前記保持部材に設けられたＵＶ硬化樹脂を、前記保持部材変形工程後、前記保持部材側からＵＶを照射して硬化させ、前記保持部材と前記プラスチックレンズとを接合する接合工程と、
前記接合工程後、前記レンズを前記レンズ保持具により保持する保持工程と、
前記保持工程後、前記保持部材を、前記プラスチックレンズに対する保持力を弱める所定の形状へと自己変形させることにより、前記レンズ保持具に保持された前記プラスチックレンズを当該レンズ保持具から脱離する脱離工程と、
を有し、
前記保持部材は、前記保持部材変形工程においては、自力にて所定の形状を維持しつつも塑性を有し、プラスチックレンズの光学面の形状に合わせて変形自在である一方、前記保持工程においては、前記塑性が失われることを特徴とすることを特徴とするプラスチックレンズの製造方法。
【符号の説明】
【０１１８】
１…レンズ保持具、２…ヤトイ、３…保持部材、４…接合部材、４ａ…接合部材の素材、５…レンズ、６…止めねじ、７…ブロッキングリング（プリズムリング）、８…アロイ、９…保護フィルム、１０…取付部
【図１】
2013180372.tif 000003
【図２】
2013180372.tif 000004
【図３】
2013180372.tif 000005
【図４】
2013180372.tif 000006
【図５】
2013180372.tif 000007
【図６】
2013180372.tif 000008
【図７】
2013180372.tif 000009
【図８】
2013180372.tif 000010